(57)【要約】【課題】効率よく建物内を暖めることができ、かつ、居住者の健康促進にも寄与可能な壁暖房装置を提供すること。【解決手段】壁暖房装置１は、建物の壁材として使用されるとともに、内装材１２と、内装材１２を昇温可能とされる加熱手段８と、を備えて、加熱手段８の作動時に、内装材１２を昇温させることにより建物内を暖める構成である。内装材１２が、ホルンブレンドカミングトン閃石ひん岩の粉末を含有させた漆喰材から形成されている。【選択図】図１
2011038692.tif 000002
【特許請求の範囲】
【請求項１】
建物の壁材として使用されるとともに、内装材と、該内装材を昇温可能とされる加熱手段と、を備えて、該加熱手段の作動時に、前記内装材を昇温させることにより建物内を暖める構成の壁暖房装置であって、
前記内装材が、ホルンブレンドカミングトン閃石ひん岩の粉末を含有させた漆喰材から形成されていることを特徴とする壁暖房装置。
【請求項２】
前記漆喰材が、ホルンブレンドカミングトン閃石ひん岩の粉末を、５〜６０重量％の範囲内で、含有していることを特徴とする請求項１に記載の壁暖房装置。
【請求項３】
前記漆喰材が、ラジウム鉱石及び／又はトリウム鉱石の粉末を含有していることを特徴とする請求項１又は２に記載の壁暖房装置。
【請求項４】
前記漆喰材が、ラジウム鉱石及び／又はトリウム鉱石の粉末を、３〜２０重量％の範囲内で、含有していることを特徴とする請求項３に記載の壁暖房装置。
【請求項５】
前記漆喰材が、光触媒を含有していることを特徴とする請求項１乃至４のいずれか１項に記載の壁暖房装置。
【請求項６】
前記漆喰材が、光触媒を、１〜１０重量％の範囲内で、含有していることを特徴とする請求項５に記載の壁暖房装置。
【請求項７】
前記内装材の表面に、光触媒を含有させた光触媒層が、形成されていることを特徴とする請求項１乃至４のいずれか１項に記載の壁暖房装置。
【請求項８】
前記光触媒層を構成する塗料が、光触媒を、１〜１０重量％の範囲内で、含有していることを特徴とする請求項７に記載の壁暖房装置。
【請求項９】
前記加熱手段が、面状発熱体と、前記内装材の表面を略全面にわたって覆うとともに作動時に前記面状発熱体から発生する熱を前記内装材に伝搬可能とされる金属板と、を備えて構成されていることを特徴とする請求項１乃至８のいずれか１項に記載の壁暖房装置。
【発明の詳細な説明】
【技術分野】
【０００１】
本発明は、建物の壁材として使用されるもので、作動時に、内装材を昇温させることにより建物内を暖める構成の壁暖房装置に関する。
【背景技術】
【０００２】
従来、壁暖房装置としては、外壁と内装材との間に、パイプを介在させ、このパイプ内に温水を流すことにより、内装材を昇温させて、建物内を暖める構成のものがあった（例えば、特許文献１参照）。
【先行技術文献】
【特許文献】
【０００３】
【特許文献１】特開２００４−１６３０５３公報
【発明の概要】
【発明が解決しようとする課題】
【０００４】
この従来の壁暖房装置では、内装材として用いられるタイルに、調湿機能を付与させて、建物内の湿度を調整可能としていた。昨今では、地球温暖化防止の観点から、省エネルギーで効率よく建物内を暖めることが、要望されている。
【０００５】
本発明は、上述の課題を解決するものであり、効率よく建物内を暖めることができ、かつ、居住者の健康促進にも寄与可能な壁暖房装置を提供することを目的とする。
【課題を解決するための手段】
【０００６】
本発明に係る壁暖房装置は、建物の壁材として使用されるとともに、内装材と、内装材を昇温可能とされる加熱手段と、を備えて、加熱手段の作動時に、内装材を昇温させることにより建物内を暖める構成の壁暖房装置であって、
内装材が、ホルンブレンドカミングトン閃石ひん岩の粉末を含有させた漆喰材から形成されていることを特徴とする。
【０００７】
本発明の壁暖房装置では、内装材を形成する漆喰材に、ホルンブレンドカミングトン閃石ひん岩の粉末を含有させている。このホルンブレンドカミングトン閃石ひん岩は、通称「オーラストーン」と呼ばれるもので、蓄熱作用があり、かつ、加熱時に、多量の遠赤外線を放射することが一般に知られている。そして、本発明の壁暖房装置では、加熱手段の作動時に、内装材が昇温されれば、建物内を暖めることができ、また、内装材の昇温時に、内装材を形成する漆喰材に含有されているホルンブレンドカミングトン閃石ひん岩の粉末が、蓄熱されることとなって、加熱手段の作動終了後に、ホルンブレンドカミングトン閃石ひん岩の粉末に蓄えられた熱が、放出されることとなる。そのため、本発明の壁暖房装置では、加熱手段の作動終了後にも、内装材の昇温状態を維持することができ、建物内を長時間暖めることができる。
【０００８】
また、本発明の壁暖房装置では、作動時に、加熱手段によって内装材を昇温させ、建物内を暖める構成であることから、建物内を、局所的に暖めることを防止でき、内装材に囲まれる領域全体を、内装材から放出される輻射熱によってソフトに暖めることができる。特に、内装材に含有されるホルンブレンドカミングトン閃石ひん岩の粉末は、昇温時に、遠赤外線を多量に放射することから、内装材に囲まれる領域全体を、じっくりと緩やかに暖めることができる。また、内装材自体は漆喰材から形成されていることから、ホルムアルデヒド等の有害物質を放出することもなく、居住者の健康促進にも寄与することができる。
【０００９】
したがって、本発明の壁暖房装置では、効率よく建物内を暖めることができ、かつ、居住者の健康促進にも寄与することができる。
【００１０】
具体的には、内装材を構成する漆喰材として、ホルンブレンドカミングトン閃石ひん岩の粉末を、５〜６０重量％の範囲内で、含有しているものを使用することが望ましい。
【００１１】
また、本発明の壁暖房装置において、漆喰材として、ラジウム鉱石及び／又はトリウム鉱石の粉末を含有しているものを使用すれば、これらのラジウム鉱石やトリウム鉱石から、常時、微量の放射線が放出されることとなって、居住者にホルミシス効果を与えることとなる。また、ラジウム鉱石及び／又はトリウム鉱石の粉末は、常時、マイナスイオンを放出することから、このマイナスイオンによって、建物内の空気を浄化することも期待でき、加熱手段の非作動状態においても、居住者の健康促進に、一層寄与することができる。
【００１２】
具体的には、ラジウム鉱石及び／又はトリウム鉱石の粉末を、漆喰材に、３〜２０重量％の範囲内で、含有させることが好ましい。
【００１３】
さらに、上記構成の壁暖房装置において、漆喰材として、光触媒を含有しているものを使用すれば、光触媒が高い抗菌作用を有することから、カビや細菌の繁殖を抑えることができ、また、消臭作用や抗ウィルス作用も奏することとなって、居住者の健康促進に、一層寄与することができる。また、光触媒は、汚れ分解性能も有していることから、内装材表面に汚れが付着し難く、清掃作業等が容易となる。
【００１４】
具体的には、光触媒を、漆喰材に、１〜１０重量％の範囲内で、含有させることが好ましい。
【００１５】
また、光触媒を使用する場合、内装材の表面に、光触媒を含有させた光触媒層を形成する構成とすれば、光触媒が、内装材の表面を覆う光触媒層のみに含有されることから、上記の内装材を構成する漆喰材自体に光触媒を含有させる構成の壁暖房装置と比較して、光触媒層を内装材の表面に形成する工数はかかるものの、光触媒の使用量を少なくしても、同等の効果を得ることができ、上述の壁暖房装置と比較して、光触媒の使用量を少なくすることができる。具体的には、光触媒層を構成する塗料として、光触媒を、１〜１０重量％の範囲内で、含有したものを使用することが好ましい。
【００１６】
さらにまた、上記構成の壁暖房装置において、加熱手段を、面状発熱体と、内装材の表面を略全面にわたって覆うとともに作動時に面状発熱体から発生する熱を内装材に伝搬可能とされる金属板と、を備える構成とすることが好ましく、このような加熱手段を使用すれば、加熱手段の作動時に、内装材を全面にわたって略均一に昇温させることができて、好ましい。
【図面の簡単な説明】
【００１７】
【図１】本発明の一実施形態である壁暖房装置を示す概略分解斜視図である。
【図２】他の実施形態である壁暖房装置を示す概略分解斜視図である。
【発明を実施するための形態】
【００１８】
以下、本発明の一実施形態を図面に基づいて説明する。実施形態の壁暖房装置１は、建物の壁材として使用されるもので、図１に示すように、外壁３、内装材１２、及び、加熱手段８を、備える構成とされている。
【００１９】
外壁３は、実施形態の場合、建物の最外周側に配置される外壁本体４と、外壁本体４の内周側において外壁本体４を略全面にわたって覆うように配置される断熱材５と、の間に、間柱６を介在させて、構成されている。外壁本体４としては、モルタル、吹き付けタイル、石、材木、スレート材等、通常建材に使用される汎用のものを使用することができる。断熱材５は、実施形態の場合、外壁本体４の内周側において、外壁本体４を全面にわたって覆うような略板状として、外壁本体４との間に間柱６の厚み分隙間を設けるようにして、間柱６の内周側に配置されている。断熱材５としては、発泡ポリウレタン等、通常建材に使用される汎用のものを使用することができる。この実施形態の外壁３では、外壁本体４と断熱材５との間に、間柱６が介在されていることから、外壁本体４と断熱材５との間に、この間柱６の厚み分の隙間が生じることとなり、外壁３は、この隙間によって適度な通気性を有することとなる。また、実施形態の外壁３では、外壁３の内周側が、略全域にわたって、隙間なく断熱材５によって覆われることから、建物内の気密性を高くすることができる。なお、外壁の構造は、勿論、これに限られるものではなく、上記点を考慮しなければ、断熱材を、間柱間の隙間を埋めるように、断続的に配置させる構成としてもよい。また、実施形態の場合、断熱材５の内周面側には、加熱手段８の後述する面状発熱体９を収納するための凹溝５ａが、水平方向に沿って、形成されている。この凹溝５ａは、面状発熱体９の外形形状に合わせて形成されるもので、金属板１０を介して面状発熱体９を収納させた際に、金属板１０との間の隙間を略なくして、かつ、面状発熱体９と金属板１０との内表面が略面一となるように、形成されている。
【００２０】
加熱手段８は、実施形態の場合、外壁３と内装材１２との間に配置されるもので、面状発熱体９と、内装材１２の表面（外側面）を略全面にわたって覆う金属板１０と、を備えて構成されている。
【００２１】
面状発熱体９は、実施形態の場合、外形形状を略長方形板状とされて、壁暖房装置１の全域にわたって配置されるものではなく、部分的に配置されている。このような面状発熱体９は、暖房する室内の暖房効率を考慮すれば、壁暖房装置１を設置する部屋における室内の四方を覆う側面の領域（窓やドアがある場合には窓やドアを含む）の総面積の３０〜６０％程度の範囲内の面積の領域であって、かつ、底面に近い側に、配置することが好ましい。実施形態の場合、詳細に説明すれば、面状発熱体９は、水平方向に沿って形成される長尺板状とされて、床面から１５０ｃｍ程度の範囲内に、３〜４個並設されている。この面状発熱体９は、壁暖房装置１における水平方向の全域にわたって、配置されている。この面状発熱体９は、作動時に、４５℃程度に昇温可能なものであれば、特に限られるものではなく、汎用のものを使用することができる。
【００２２】
金属板１０は、実施形態の場合、面状発熱体９の外周側（外壁３側）において、断熱材５の内周面側を略全面にわたって覆うように、配置されている。そして、金属板１０は、面状発熱体９の外周側において面状発熱体９と隣接して、内装材１２の外側面を略全面にわたって覆うように、配置されるとともに、面状発熱体９から外れた領域で、内装材１２と隣接して配置され、作動時に、面状発熱体９から発生する熱を、内装材１２に伝搬する構成である。金属板１０には、断熱材５の凹溝５ａに対応した位置に、面状発熱体９を収納する収納凹部１０ａが、外周側（断熱材５側）に向かって突出して、形成されている。金属板１０としては、実施形態の場合、厚さを０．０５ｍｍ以上（望ましくは０．０５〜１．０ｍｍ）に設定されているアルミニウム板が、使用されている。勿論、金属板１０を構成する金属は、アルミニウムに限られるものではないが、軽量で良好な熱伝導率を有し、かつ、コストを安価にできる点からは、アルミニウムを使用することが好ましい。
【００２３】
内装材１２は、外壁３側に配置されるプラスターボード（石膏ボード）１３と、このプラスターボード１３の内面に漆喰材を塗布して形成される漆喰材層１４と、を備えている。この内装材１２は、金属板１０の内周面側を全面にわたって覆うように配設されている。プラスターボード１３としては、通常建材に使用される汎用のものを使用でき、実施形態の場合、９．５ｍｍ又は１２．５ｍｍの厚さのものを使用することが好ましい。
【００２４】
漆喰材層１４を形成する漆喰材としては、実施形態の場合、消石灰を主成分として、無機材料や、膠着剤、繊維質材料（すさ）等を添加させ、さらに、ホルンブレンドカミングトン閃石ひん岩の粉末とラジウム鉱石及びトリウム鉱石の粉末とを含有させたものを使用している。無機材料としては、炭酸カルシウム、炭酸バリウム、及び、水酸化バリウム等、汎用の漆喰材料に使用可能なものを使用することができる。膠着剤としては、海草糊（フノリ、ツノマタ等）、にかわ、うるち米、こんにゃく粉等の天然糊等を使用することができる。繊維質材料（すさ）としては、マニラ麻、黄麻、わら、しゅろ、パルプ、竹繊維等、汎用の漆喰材料に使用可能なものを使用することができ、これらの材料の内で、抗菌性、吸水性等が良好である見地から、竹繊維を使用することが好ましい。なお、漆喰材に使用する材料は、居住者の健康に留意すれば、天然材料からなるものを使用することが好ましい。
【００２５】
ホルンブレンドカミングトン閃石ひん岩（オーラストーン）は、詳細には、三仙石赤、三仙石青、黒点花蛇紋石、及び、石英変岩石の総称であり、実施形態の漆喰材では、これらの混合物を粉末状にして、含有させている。このホルンブレンドカミングトン閃石ひん岩（オーラストーン）は、蓄熱作用があり、かつ、加熱時に、多量の遠赤外線を放出するものとして、知られている。表１に、ホルンブレンドカミングトン閃石ひん岩と他の鉱石（貴蛇紋石、褐廉石、二股ラジウム、ブラックシリカ、及び、ブラックトルマリン）とを、それぞれ、ＦＴＩＲによる積分球を用いて、４〜２０μｍの波長領域の赤外分光放射率と、４〜２０μｍにおける積分放射率及び６〜２０μｍにおける積分放射率と、を測定した測定結果を示す。表１に示すように、ホルンブレンドカミングトン閃石ひん岩は、４〜２０μｍの波長領域内において、安定して高い赤外分光放射率を示しており、また、積分放射率も高いことから、他の鉱石と比較して、高い遠赤外線放射力を有していることが、わかる。
【００２６】
【表１】
2011038692.tif 000003
そして、実施形態の漆喰材では、ホルンブレンドカミングトン閃石ひん岩の粉末を、５〜６０重量％（望ましくは、１０〜５０重量％、さらに望ましくは、２０〜５０重量％）含有させている。ホルンブレンドカミングトン閃石ひん岩の粉末の含有量が、５重量％未満では、充分な蓄熱効果及び遠赤外線放出効果を得難く、逆に、６０重量％を超えれば、それ以上の更なる効果を期待できず、材料の無駄となるためである。なお、実施形態の壁暖房装置１を、冬季等にメインで室内を暖める暖房として使用する場合には、充分な蓄熱効果及び遠赤外線放出効果を得るために、ホルンブレンドカミングトン閃石ひん岩の粉末を、２０重量％以上含有させることが、望ましい。実施形態の場合、ホルンブレンドカミングトン閃石ひん岩の粉末としては、粒径を０．７μｍ〜０．２ｍｍ程度の範囲内に設定されたものを使用されている。
【００２７】
ラジウム鉱石及びトリウム鉱石は、微量の放射線を放射したり、マイナスイオンを放出する作用を奏すると知られているもので、このラジウム鉱石及びトリウム鉱石を粉末状として漆喰材に含有させることにより、内装材から、常時、微量の放射線が放射され、マイナスイオンが放出されることとなる。実施形態の漆喰材では、これらのラジウム鉱石とトリウム鉱石との粉末の混合物を、３〜２０重量％（望ましくは、５〜２０重量％）含有させている。ラジウム鉱石とトリウム鉱石との粉末の混合物の含有量が、３重量％未満では、充分な放射線放射効果とマイナスイオン放出効果とを得難く、逆に、２０重量％を超えれば、放射線放射量が多くなりすぎて、使用者の健康を損なう虞れがあり、望ましくないためである。なお、実施形態の場合、ラジウム鉱石とトリウム鉱石との粉末は、ホルンブレンドカミングトン閃石ひん岩の粉末の粉末と同様に、粒径を０．７μｍ〜０．２ｍｍ程度の範囲内に設定されたものを使用されている。なお、実施形態では、ラジウム鉱石とトリウム鉱石との混合物を、漆喰材に含有させているが、ラジウム鉱石とトリウム鉱石とは、どちらか一方を含有させる構成としてもよく、両者の混合比は任意である。
【００２８】
実施形態の漆喰材は、消石灰を５１．８重量％、炭酸カルシウムを１７．８重量％、繊維質材料（すさ）としての竹繊維を１．０重量％、海草糊を０．６重量％、ホルンブレンドカミングトン閃石ひん岩の粉末を２３．８重量％、及び、ラジウム鉱石とトリウム鉱石との粉末の混合物を５．０重量％、含有させている。そして、実施形態の漆喰材は、汎用の漆喰材料と同様に、これらの材料に、水を加えて混練した後、コテ等を利用して、プラスターボード１３に塗布し、乾燥させれば、漆喰材層１４を形成することができる。漆喰材層１４は、１〜８ｍｍの範囲内の厚みを有するように形成することが好ましく、実施形態では、２〜４ｍｍの範囲内程度の厚さに、形成されている。暖房効率を考慮すれば、漆喰材層１４の厚みを厚くすることが好ましいが、材料費等とのバランスを考慮すれば、２〜４ｍｍ程度の厚みに設定することが望ましいためである。
【００２９】
ここで、実施形態の壁暖房装置１に使用される漆喰材層１４について、蓄熱性を測定した試験について、説明をする。厚さ３０ｍｍの発砲ポリウレタン製の断熱材の上に厚さ０．４ｍｍのアルミニウム板を重ねた基材に実施形態の漆喰材層１４に使用される漆喰材を厚さ２．０ｍｍで塗布した試料（実施例）と、実施例と同一の基材の上にホルンブレンドカミングトン閃石ひん岩の粉末を含まない従来の漆喰材を厚さ２．０ｍｍで塗布した試料（比較例１）と、実施例と同一の基材の上に壁紙用の汎用のクロスを貼着させた試料（比較例２）と、について、それぞれ、蓄熱性を測定する試験を行なった。試験は、各試料（実施例、比較例１、及び、比較例２）を、それぞれ、試験台の上に載置させ、試験台から１０ｃｍ上方に離れた位置に配置される金網の上に、加熱源１（積分放射率９０％以上の高効率遠赤外線放射体）、加熱源２（積分放射率４０％以下の遠赤外線放射体）、及び、冷却源（ドライアイス１ｋｇ）を、それぞれ、載置させて、各試料の中心部の温度変化を測定したものである。加熱源１を用いた加熱試験の結果を表２に、加熱源２を用いた加熱試験の結果を表３に、示す。また、冷却源を用いた冷却試験の結果を表４に示す。表２及び表３に示す加熱試験では、２０分間加熱し、その後４０分間放置した際の温度変化を、５分毎に測定している。表４に示す冷却源を用いた冷却試験では、３０分間冷却し、その後３０分間放置した際の温度変化を、１０分毎に測定している。
【００３０】
【表２】
2011038692.tif 000004
【００３１】
【表３】
2011038692.tif 000005
【００３２】
【表４】
2011038692.tif 000006
表２及び３に示すように、実施例及び比較例１，２のいずれの壁材も、加熱開始から２０分後の温度は略同一であるが、加熱終了後に、比較例１，２の壁材が、急激に温度を低下させるのに対し、実施例の壁材は、温度の低下が緩やかであって、加熱終了から３０分経過後にも、比較例１，２の壁材に対して、７〜８℃高い温度を示している。そのため、実施例の壁材は、蓄熱効果が高く、加熱終了後にも昇温状態を維持することができ、建物に設置した場合、建物内を長時間暖めることができ、高い省エネ効果を得ることができる。また、表４に示す冷却試験において、実施例の壁材は、比較例１，２の壁材と比較して、若干冷却されがたいものの、冷却終了後の温度上昇が緩やかであり、冷却終了から３０分経過後の温度が、比較例１，２の壁材に対して２℃程度低い。そのため、実施例の壁材は、比較例１，２の壁材と比較して断熱性能が高いと推測され、加熱手段の非作動状態となる夏季の冷房時等には、冷房の作動終了後にも建物内の冷却状態を維持できることから、高い省エネ効果を得ることができる。
【００３３】
この実施形態の壁暖房装置１では、加熱手段８を作動させれば、面状発熱体９が発熱して、内装材１２を昇温させることにより、建物内を暖めることができる。
【００３４】
そして、実施形態の壁暖房装置１では、内装材１２を構成する漆喰材層１４を形成する漆喰材に、ホルンブレンドカミングトン閃石ひん岩の粉末を含有させている。このホルンブレンドカミングトン閃石ひん岩は、通称「オーラストーン」と呼ばれるもので、上述したごとく、蓄熱作用があり、かつ、加熱時に、多量の遠赤外線を放射することとなる。そして、実施形態の壁暖房装置１では、加熱手段８の作動時に、内装材１２が昇温されれば、建物内を暖めることができ、また、内装材１２の昇温時に、内装材１２を形成する漆喰材に含有されているホルンブレンドカミングトン閃石ひん岩の粉末が、蓄熱されることとなって、加熱手段８の作動終了後に、ホルンブレンドカミングトン閃石ひん岩の粉末に蓄えられた熱が、放出されることとなる。そのため、実施形態の壁暖房装置１では、加熱手段８の作動終了後にも、内装材１２の昇温状態を維持することができ、建物内を長時間暖めることができる。また、実施形態の壁暖房装置１では、上述したごとく、内装材１２自体の断熱性能が高く、加熱手段８の非作動時である夏季の冷房時において、冷房の作動終了後にも建物内の冷却状態を維持できる。そのため、一年を通じて、高い省エネ効果を期待でき、消費電力を低減させることができる。
【００３５】
また、実施形態の壁暖房装置１では、作動時に、加熱手段８によって内装材１２を昇温させ、建物内を暖める構成であることから、建物内を、局所的に暖めることを防止でき、内装材１２に囲まれる領域全体を、内装材１２から放出される輻射熱によってソフトに暖めることができる。特に、内装材１２の漆喰材層１４に含有されるホルンブレンドカミングトン閃石ひん岩の粉末は、昇温時に、遠赤外線を多量に放射することから、内装材１２に囲まれる領域全体を、じっくりと緩やかに暖めることができる。また、内装材１２自体の内側面を覆っている漆喰材層１４は、漆喰材から形成されていることから、ホルムアルデヒド等の有害物質を放出することもなく、居住者の健康促進にも寄与することができる。
【００３６】
したがって、実施形態の壁暖房装置１では、効率よく建物内を暖めることができ、かつ、居住者の健康促進にも寄与することができる。
【００３７】
また、実施形態の壁暖房装置１では、内装材１２を構成する漆喰材層１４を形成する漆喰材が、ラジウム鉱石及び／又はトリウム鉱石の粉末を含有していることから、これらのラジウム鉱石やトリウム鉱石から、常時、微量の放射線が放射されることとなって、居住者にホルミシス効果を与えることとなる。また、ラジウム鉱石及び／又はトリウム鉱石の粉末は、常時、マイナスイオンを放出することから、このマイナスイオンによって、建物内の空気を浄化することも期待でき、加熱手段８の非作動状態においても、居住者の健康促進に、一層寄与することができる。勿論、このような点を考慮しなければ、漆喰材層１４を、ラジウム鉱石及び／又はトリウム鉱石の粉末を含有させない漆喰材から、形成してもよい。
【００３８】
漆喰材層を形成する漆喰材としては、ラジウム鉱石及び／又はトリウム鉱石の粉末の代わりに、光触媒を含有させたものを使用してもよい。光触媒としては、具体的には、二酸化チタン（ＴｉＯ２）に、銀イオン（Ａｇ＋）及び亜鉛イオン（Ｚｎ２＋）をコロイド状に担持させたものを、使用できる。この光触媒において、銀イオン及び亜鉛イオンは補助的に作用するもので、太陽光の当たる状態では、二酸化チタンが主として作用し、太陽光の当たらない状態では、銀イオン及び亜鉛イオンが作用して、常時、高い抗菌作用や、消臭作用を奏するものである。
【００３９】
この光触媒は、漆喰材に、１〜１０重量％（望ましくは、１〜５重量％）の範囲内で含有させることが好ましい。光触媒の含有量が、１重量％未満では、充分な抗菌効果や消臭効果を得難く、逆に、１０重量％を超えても、それ以上のさらなる効果を期待できず、材料の無駄となるためである。この光触媒は、粒径を３〜１００ｎｍ程度の範囲内に設定されたものを使用することが好ましい。
【００４０】
光触媒を含有した漆喰材を使用して内装材を形成する場合、光触媒が高い抗菌作用を有することから、カビや細菌の繁殖を抑えることができ、また、消臭作用や抗ウィルス作用も奏することとなって、居住者の健康促進に、一層寄与することができる。また、光触媒は、汚れ分解性能も有していることから、内装材表面に汚れが付着し難く、清掃作業等が容易となる。そのため、このような漆喰材を使用した壁暖房装置は、高湿になりやすい環境の部屋（例えば、浴室に隣接した脱衣所や家事室等）や、雑菌の繁殖を極力抑えることが望ましい部屋（例えば、無菌室、手術室、トイレ等）に、好適に使用することができる。勿論、このような光触媒とラジウム鉱石及び／又はトリウム鉱石の粉末とを共に含有させた漆喰材を、壁暖房装置の内装材に使用してもよい。
【００４１】
なお、光触媒を使用する場合、漆喰材自体に含有させなくとも、内装材の表面に、光触媒を含有させた塗料を塗布して、光触媒層を形成するように構成してもよい。光触媒含有塗料としては、光触媒として、二酸化チタン（ＴｉＯ２）に、銀イオン（Ａｇ＋）及び亜鉛イオン（Ｚｎ２＋）をコロイド状に担持させたものを、塗膜形成用の樹脂成分を含む水溶液型あるいはエマルジョン型の汎用の溶剤に分散させたものを使用することができる。実施形態の場合、シリコーンエマルジョンタイプの塗料に、光触媒を分散させたものが使用されている。光触媒としては、上述と同様に、３〜１００ｎｍ程度の範囲内に設定された粒径のものを使用することが好ましく、光触媒含有塗料としては、光触媒を、１〜１０重量％（望ましくは、１〜５重量％）含有させたものを使用することが好ましい。光触媒の含有量が、１重量％未満では、充分な抗菌効果や消臭効果を得難く、逆に、１０重量％を超えても、それ以上のさらなる効果を期待できず、材料の無駄となるためである。このような光触媒含有塗料を使用する場合、漆喰材をプラスターボードに塗布後、漆喰材の乾燥前に、漆喰材層の表面に、スプレー等を利用して塗布して光触媒層を形成することが、耐久性を良好とする見地から、好ましい。また、このような光触媒層は、漆喰材層の表面に、均一にむらなく塗布して、形成することが好ましい（厚さは０．０１ｍｍ程度と推測される）。
【００４２】
そして、このように、光触媒を含有させた光触媒層を、漆喰材層の表面に形成すれば、光触媒が、内装材（漆喰材層）の表面を覆う光触媒層のみに含有されることから、漆喰材自体に光触媒を含有させる構成の壁暖房装置と比較して、光触媒層を内装材の表面に形成する工数はかかるものの、光触媒の使用量を少なくしても、同等の効果を得ることができる。そのため、光触媒の使用量を、相対的に少なくすることができて、施工コストを低減でき、好ましい。
【００４３】
また、実施形態の壁暖房装置１では、加熱手段８を、部分的に配置される面状発熱体９と、内装材１２の表面を略全面にわたって覆うとともに作動時に面状発熱体９から発生する熱を内装材１２に伝搬可能とされる金属板１０と、を備える構成としていることから、加熱手段８の作動時に、内装材１２を全面にわたって略均一に昇温させることができる。
【００４４】
なお、実施形態の壁暖房装置１では、内装材１２として、プラスターボード１３の内表面側に漆喰材を塗布して形成した漆喰材層１４を配置させた構成のものを使用しているが、内装材の構成はこれに限られるものではなく、たとえば、図２に示す壁暖房装置１Ａのごとく、内装材１２Ａとして、プラスターボード１３の内表面側に、漆喰材から形成される漆喰タイル１６を貼着させた構成のものを使用してもよい。この漆喰タイル１６は、前述の漆喰材層１４を構成する漆喰材よりホルンブレンドカミングトン閃石ひん岩粉末の含有量を少なくして、ホルンブレンドカミングトン閃石ひん岩の粉末を１０．０重量％、及び、ラジウム鉱石とトリウム鉱石との粉末の混合物を５．０重量％、含有させた漆喰材から、形成されている。この漆喰タイル１６を形成する漆喰材では、成形したタイルの強度を確保するために、ホルンブレンドカミングトン閃石ひん岩の粉末の含有量を少なくして、漆喰成分の含有量を多くしている。漆喰タイル１６を構成する漆喰材の残りの成分（漆喰成分）は、前述の漆喰材層１４を構成する漆喰材と同様であり、消石灰、炭酸カルシウム、繊維質材料（すさ）、及び、海草糊が含まれている。この漆喰タイル１６は、上記成分を混合させた漆喰材を、板状に成形し、加圧して、形成されている。勿論、このような漆喰タイル１６を使用する構成の壁暖房装置１Ａにも、光触媒を利用してもよく、光触媒は、漆喰タイル１６自体に含有させてもよく、あるいは、漆喰タイル１６の表面に光触媒含有塗料を塗布して光触媒層を形成してもよい。
【００４５】
そして、このような漆喰タイル１６を、内装材１２Ａ表面に配置させた構成の壁暖房装置１Ａも、前述の壁暖房装置１と同様の作用・効果を得ることができる。また、各壁暖房装置１，１Ａでは、それぞれ、内装材１２，１２Ａとして、漆喰材層１４若しくは漆喰タイル１６を、内周面側に配置させているが、壁暖房装置として、漆喰材層と漆喰タイルとを混在させ、一部に漆喰タイルを貼着させ、残りの部位に漆喰材層を設けるように、構成したものを使用してもよい。
【００４６】
なお、実施形態では、壁暖房装置１，１Ａとして、外壁３を有した構成のものが示されているが、壁暖房装置の構成はこれに限られるものではなく、外壁を備えず、建物内において、隣接する部屋相互を区画する壁に、本発明の壁暖房装置を適用してもよい。
【符号の説明】
【００４７】
１，１Ａ…壁暖房装置、
８…加熱手段、
９…面状発熱体、
１０…金属板、
１２，１２Ａ…内装材、
１４…漆喰材層、
１６…漆喰タイル。
【図１】
2011038692.tif 000007
【図２】
2011038692.tif 000008